(57)【要約】【課題】  写真フィルム等から読み取った画像データに対する色濃度補正等の補正作業の効率を向上させる画像処理装置を提供する。【解決手段】  本発明は、写真フィルムから画像データを読み取るスキャナと、読み取られた画像データに対応する付加情報の内容に従い前記画像データを補正する補正手段とを備え、該補正手段により補正された画像データをモニタに表示し、該モニタを介してユーザが所望の画像データに対して所望の補正を行えるように構成されてなる画像処理装置であって、前記モニタには、画像データと共にそれに対応する所定の付加情報の内容も表示させることを特徴とする。【選択図】  図４
2006121594.tif 000002
【特許請求の範囲】
【請求項１】
写真フィルムから画像データを読み取るスキャナと、読み取られた画像データに対応する付加情報の内容に従い前記画像データを補正する補正手段とを備え、該補正手段により補正された画像データをモニタに表示し、該モニタを介してユーザが所望の画像データに対して所望の補正を行えるように構成されてなる画像処理装置であって、
前記モニタには、画像データと共にそれに対応する所定の付加情報の内容も表示させることを特徴とする画像処理装置。
【請求項２】
前記付加情報は、対応する画像データの撮影状況に係る情報であり、撮影画像と共に前記写真フィルムに磁気データとして記録されていることを特徴とする請求項１に記載の画像処理装置。
【請求項３】
前記付加情報は、読み取られた画像データを基に算出された前記スキャナの予定チャージ倍率であることを特徴とする請求項１に記載の画像処理装置。
【請求項４】
前記予定チャージ倍率は、前記モニタを介してユーザにより適宜変更できることを特徴とする請求項３に記載の画像処理装置。
【発明の詳細な説明】
【技術分野】
【０００１】
本発明は、画像データに対して色濃度補正等の各種補正を行う画像処理装置に関する。
【背景技術】
【０００２】
近年、写真店（いわゆるラボ）においては、ネガ、ポジ等の写真フィルムからスキャナ（フィルムスキャナ）により読み取った画像データに対して色濃度補正やコントラスト補正等のデジタル画像処理を施し、該処理後の画像データをプリントしたり、各種メディアに記録できる写真処理装置（画像処理装置）が普及しつつある。
【０００３】
この種の画像処理装置では、先ず、フィルムスキャナによって、写真フィルムから低解像度で画像データを読み取り（プレスキャン）、該プレスキャンによって得た画像データを補正操作画面（いわゆる「ジャッジ画面」）上に表示させる。ユーザは、かかるジャッジ画面を介して、所望のコマ画像（画像データ）に対して、色濃度補正やコントラスト補正等のデジタル画像処理を施すことができる。
【０００４】
ここで施した画像データに係る補正結果は、写真フィルムから高解像度で読み取った（本スキャンした）対応する画像データに反映される。そして、該補正反映後の画像データに基づき、写真プリント等が生成され、出力される。
【０００５】
以上のような画像処理装置では、プレスキャンによって取得した画像に対して、ユーザがモニタ上で該画像を確認しながら所望の補正を施せるので、仕上がり状態の良い写真プリント等を出力することが可能となる。
【発明の開示】
【発明が解決しようとする課題】
【０００６】
ところで、ＡＰＳ（アドバンスト・フォト・システム）フィルムでは、撮影した画像を記録する領域の他に、かかる撮影画像に対応する撮影情報（撮影日時、照明光に関する情報等の撮影状況に関する情報）を磁気データとして記録できる磁気記録層が形成されている。そして、通常、上記画像処理装置では、ＡＰＳフィルムから画像データを読み取る際に、それに対応する上記撮影情報も取得し、該撮影情報の内容に従って自動的に当該画像データを補正し、その後にジャッジ画面上に表示させている。
【０００７】
また、上記画像処理装置では、プレスキャンで読み取った画像データに基づき、本スキャン時におけるフィルムスキャナの予定チャージ倍率（フィルムスキャナのシャッター時間を意味する。即ち、この倍率が大きいほどシャッター時間が長いことになる。例えば、オーバーネガ／アンダーポジでは、チャージ倍率は１倍より大きくなる。）を算出し、かかるチャージ倍率に基づき、自動的に当該画像データを補正し、その後にジャッジ画面上に表示させている。
【０００８】
このように、上記画像処理装置では、読み取った画像データは、ジャッジ画面上に表示される間に、上記撮影情報やチャージ倍率等の付加情報の内容に基づき自動的に（即ち、ユーザは関知せずに）補正が施されるのである。
【０００９】
この場合、上記付加情報に基づく自動補正が適正であって、ユーザが補正を必要としない場合等には問題はないが、ユーザが補正を必要とする場合（即ち、ジャッジ画面上の画像表示状態に不満がある場合等）には、それが付加情報に基づく自動補正に起因するものなのか、あるいは原画像データそのものに原因があるのかをユーザは判断できないが故に、補正にかかる作業効率を低下させてしまう虞もある。
【００１０】
本発明は、上記従来の問題を解決するものであり、画像データに対応する付加情報を当該画像データと共にモニタに表示することで、ユーザによる当該画像データに対する補正作業の効率を向上させ得る画像処理装置を提供することを目的とする。
【課題を解決するための手段】
【００１１】
本発明に係る画像処理装置は、写真フィルムから画像データを読み取るスキャナと、読み取られた画像データに対応する付加情報の内容に従い前記画像データを補正する補正手段とを備え、該補正手段により補正された画像データをモニタに表示し、該モニタを介してユーザが所望の画像データに対して所望の補正を行えるように構成されてなる画像処理装置であって、前記モニタには、画像データと共にそれに対応する所定の付加情報の内容も表示させることを特徴とする。
【００１２】
上記構成の画像処理装置によれば、スキャナによって写真フィルムから読み取られた画像データを表示するモニタ（より具体的には、「ジャッジ画面」等で例示される補正処理操作画面）には、当該画像データと共にそれに対応する所定の付加情報の内容も表示される。したがって、ユーザは、当該画像データがどのような条件で自動補正が施されたのかを認識することができる。その結果、補正に係る作業効率を向上させることができる。
【００１３】
また、前記付加情報としては、対応する画像データの撮影状況に係る情報であり、撮影画像と共に前記写真フィルムに磁気データとして記録されているものが想定され、具体的には、ＡＰＳフィルムの磁気記録層に記録される撮影画像に対応する撮影情報（より詳細には、その中の必要とする一部の情報）が例示できる。
【００１４】
また、前記撮影情報以外にも、読み取られた画像データを基に算出された前記スキャナの予定チャージ倍率であってもよい。
【００１５】
ここで、「チャージ倍率」とは、本スキャンにおけるスキャナのシャッター時間を意味する。「チャージ倍率」は、本スキャンに先立つプレスキャン時に決定され、具体的には、プレスキャンで読み取られた画像データの内容から所定の計算式により算出される（これが「予定チャージ倍率」となる。）。例えば、オーバーネガ／アンダーポジ等に対する自動補正が行われると、結果として、「予定シャージ倍率」は２倍以上となる。
【００１６】
また、前記予定チャージ倍率を表示させる場合において、かかる予定チャージ倍率は、前記モニタを介してユーザにより適宜変更できる構成とすると、更に補正作業の効率が向上し、好ましい。
【発明の効果】
【００１７】
以上の如く、本発明の画像処理装置によれば、写真フィルム等から取り込んだ画像データに対応する付加情報を当該画像データと共にモニタに表示することで、ユーザによる当該画像データに対する色濃度補正等のデジタル画像処理に係る作業効率の向上が図れる。
【発明を実施するための最良の形態】
【００１８】
以下、本発明の実施形態に係る画像処理装置について図面を参酌しつつ説明する。
【００１９】
図１は、本実施形態に係る画像処理装置を備えた写真処理装置の外観図であり、図２は、該写真処理装置の内部構成を示すブロック図である。本写真処理装置は、写真フィルムＦやメディアＭから画像データを読み込み、該画像データに対して色濃度補正やコントラスト補正等のデジタル画像処理を施し、出力用の画像データを生成する画像処理装置１と、該画像処理装置１から出力された画像データを基に、感光材料ＰＡに画像をプリントするプリント装置２とで構成される。
【００２０】
画像処理装置１は、写真フィルムＦから画像を読み取るスキャナ３と、ＣＤ−ＲＯＭやメモリカード等のメディアＭに対して画像データの読み書き可能なメディアドライブ４と、画像処理装置１の制御を含む本写真処理装置全体を制御する主制御装置５と、写真フィルムＦやメディアＭから読み込んだ画像を表示するモニタ６と、ユーザからの操作指令を受け付ける入力装置７（キーボード７ａ及びマウス７ｂ）を備えている。
【００２１】
主制御装置５は、当該制御、演算の主体であるＣＰＵ８、画像処理プログラム等が記憶されるＲＯＭ９ａ、処理用のワークエリア等として使用されるＲＡＭ９ｂ及び各種外部装置（スキャナ３、メディアドライブ４、モニタ６及び入力装置７）とのＩ／Ｏ処理を行うＩ／Ｏ処理部１０をその内部に備えている。
【００２２】
プリント装置２は、画像処理装置１によって画像処理された画像データを基に感光材料ＰＡに対して露光処理する露光処理部１１と、露光処理された感光材料ＰＡを現像処理する現像処理部１２と、現像処理された感光材料ＰＡを乾燥処理する乾燥処理部１３と、乾燥処理されて写真となった感光材料ＰＡを仕分処理する仕分処理部１４とで構成されている。
【００２３】
露光処理部１１は、感光材料ＰＡを一対のマガジン１５ａ、１５ｂから引き出し、搬送用ローラ対１６によって下流側に搬送する。そして、ハロゲンランプ等からなる光源１７ａと、該光源１７ａに光ファイバー束１７ｂを介して接続された光シャッター１７ｃとで構成される露光装置１７によって、感光材料ＰＡを露光する。
【００２４】
現像処理部１２は、感光材料ＰＡに対して、現像、漂白、定着、安定化等の処理を行う。
【００２５】
乾燥処理部１３は、現像処理部１２から送られてくる感光材料ＰＡに熱風装置１８からの熱風を吹き付け、感光材料ＰＡに付着した現像液等を乾燥させる処理を行う。
【００２６】
仕分処理部１４は、露光処理、現像処理及び乾燥処理が施された感光材料ＰＡを大小別に仕分けるサイズ仕分部１９と、該サイズ仕分部１９で仕分けされた小さなサイズの感光材料ＰＡをオーダ毎に仕分けるオーダ仕分部２０を有している。
【００２７】
サイズ仕分部１９は、大きなサイズの感光材料ＰＡをトレー２１に排出し、小さなサイズの感光材料ＰＡをコンベア２２に搬送する。オーダ仕分部２０は、コンベア２２によって搬送されてくる感光材料ＰＡを各受皿２３に対してオーダ毎に振り分ける。
【００２８】
次に、画像処理装置１による画像処理について説明する。まず、主制御装置５のＲＯＭ９ａにインストールされている画像処理プログラムをＣＰＵ８が起動させると、モニタ６に図示しないメイン操作画面が表示される。オペレータは当該メイン操作画面にて処理すべき画像データを写真フィルムＦから読み取るか、メディアＭから読み取るかの選択を行う。
【００２９】
ここで、写真フィルムＦからの読み取りが選択されると、スキャナ３によって、セットされたフィルムＦから画像データが読み取られ、ＲＡＭ９ｂに一旦保存される。この場合、写真フィルムＦが、図３に示すようなＡＰＳフィルム３１であると、撮影画像３２がスキャナ３によって読み取られると共に、当該撮影画像３２に対応する撮影情報も読み取られることになる。かかる撮影情報は、磁気データであり、各撮影画像３２に対応付けられて形成されている磁気記録層３３に記録されている。尚、撮影情報は、画像処理装置１が備える図示しない磁気データ読取装置によって読み取られる。読み取られた撮影情報は、対応する画像データに関連付けられてＲＡＭ９ｂに一旦保存される。
【００３０】
続いて、ユーザが図示しないメイン操作画面上のジャッジ画面切替用ボタンをマウス７ｂ等を用いてクリックすると、メイン操作画面から図４に示すジャッジ画面４０に切り替わるが、その間に、主制御装置５によって、ジャッジ画面４０に表示する各コマ画像４１に係る画像データの補正が自動的に行われる。以下、かかる補正について説明する。
【００３１】
先ず、主制御装置５は、磁気データ読取装置によって読み取られた撮影情報の内容を解析する。具体的には、補正に必要となるフラグ（本実施形態では、「人工光フラグ」及び「照明光フラグ」）の内容を取得する。
【００３２】
ここで「人工光フラグ」とは、当該撮影画像３２の撮影時において、カメラが検出した光が「人工光」であったか否かを示すフラグであり、その値が”０”ならば「人工光を検出しなかった」ことを示し、”１”ならば「人工光を検出した」ことを示す。
【００３３】
また、「照明光フラグ」とは、当該撮影画像３２の撮影時において、カメラが検出した照明光の種類を示すフラグであり、その値が”０”ならば「照明光なし」、”１”ならば「自然光」、”２”ならば「タングステン」、”３”ならば「蛍光灯」、”４”ならば「不明」をそれぞれ示すことになる。
【００３４】
主制御装置５は、上記取得した「人工光フラグ」及び「照明光フラグ」の内容に従って、読み取った（対応する）画像データの補正を行う。
【００３５】
次に（あるいは上記補正の前でもよい）、主制御装置５は、読み取った画像データの内容から所定の計算式により「予定チャージ倍率」を算出する。そして、その算出した「予定チャージ倍率」を使用して対応する画像データの補正（濃度補正）を行う。具体的には、当該画像データの現在の濃度値に算出した「予定チャージ倍率」を乗算したものが補正後の濃度値となる。
【００３６】
以上の処理がメイン操作画面から図４に示すジャッジ画面４０に切り替わる間に行われる。ジャッジ画面４０には、読み取った画像データの内の６ファイル分の画像が、コマ画像４１として６コマ分表示され、各コマ画像４１の下側には補正ボタンエリア４２が設けられている。該補正ボタンエリア４２内には、色補正ボタン４３ｙ（イエロー成分補正用）、４３ｍ（マゼンダ成分補正用）、４３ｃ（シアン成分補正用）、濃度補正ボタン４３ｄ、ＤＳＡボタン４４（コントラスト、彩度、シャープネス等の補正用）が配置（表示）されている。オペレータは、かかるジャッジ画面４０を介して、出力を希望する画像データに対して色濃度補正等のデジタル画像処理を施すことができる。
【００３７】
また、ジャッジ画面４０には、各コマ画像４１毎に、チャージ倍率ボタン４５、人工光フラグ表示エリア４６及び照明光フラグ表示エリア４７が配置（表示）され、上記自動補正に係る付加情報の内容（「予定チャージ倍率」の値、「人工光フラグ」及び「照明光フラグ」の内容）も表示される。
【００３８】
具体的に説明すると、人工光フラグ表示エリア４６には、”０”あるいは”１”が表示され、ユーザは当該コマ画像４１の撮影時において、カメラが検出した光が「人工光」であったか否かを認識することができる。また、照明光フラグ表示エリア４７には、”０”〜”４”の何れかの値が表示されることで、ユーザは当該コマ画像４１の撮影時において、カメラが検出した照明光の種類を認識することが可能となる。
【００３９】
また、チャージ倍率ボタン４５上には、当該コマ画像４１に係る予定チャージ倍率の値（本実施形態では、１〜８の整数値）が表示される。かかる表示により、ユーザは、当該コマ画像４１に係る画像データに、例えば、オーバーネガ／アンダーポジ等に対応する補正が施されたか否かを知ることができる。
【００４０】
上記表示の結果、当該コマ画像４１に係る画像データに施された自動補正の条件（内容）が判明するため、当該コマ画像４１を補正する場合には、その作業効率を向上させることが可能となる。
【００４１】
さらに、ユーザは、予定チャージ倍率の変更をジャッジ画面４０上で行うことができる。具体的な操作方法を説明すると、先ず、予定チャージ倍率を変更したいコマ画像４１に対応するチャージ倍率ボタン４５にマウスカーソルを移動させクリックすると、当該チャージ倍率ボタン４５が反転表示し、補正を受け付ける状態（アクティブ状態）となる。かかる状態で、例えば、キーボード上の「↑」キーを押操作すると、その回数毎に倍率を１段階ずつ増加させることができ、「↓」キーを押操作すると、その回数毎に倍率を１段階ずつ減少させることができる。
【００４２】
上記操作により予定チャージ倍率を変更すると、新たな倍率で当該コマ画像４１に係る画像データの濃度値が再計算され、その結果が直ちに当該コマ画像４１に反映される。
【００４３】
以上のように本発明の本実施形態に係る画像処理装置によれば、写真フィルムから読み取った画像データに対する自動補正に係る情報（当該画像データの付加情報）がジャッジ画面上に表示されるので、ユーザは、当該画像データがどのような条件で自動補正が施されたのかを認識することができ、補正に係る作業効率を向上させることができる。
【００４４】
尚、本発明は、上記実施形態に限定されることはなく、本発明の要旨を逸脱しない範囲で種々の変更が可能である。
【００４５】
例えば、上記実施形態では、「人工光フラグ」及び「照明光フラグ」の内容をジャッジ画面に表示させているが、表示させるフラグの種類や表示数について特に限定されるものではなく、例えば、「照明光フラグ」の内容のみを表示させてもよいし、撮影情報を構成するその他のフラグ（例えば、逆光フラグや輝度フラグ等）の内容を表示させてもよい。
【図面の簡単な説明】
【００４６】
【図１】本発明の一実施形態に係る画像処理装置を備えた写真処理装置の外観図である。
【図２】同実施形態に係る写真処理装置の概略構成図である。
【図３】同実施形態において、スキャナで読み取られるＡＰＳフィルムの平面図である。
【図４】同実施形態において、モニタに表示されるジャッジ画面の一例を示す図である。
【符号の説明】
【００４７】
１…画像処理装置、２…プリント装置、３…スキャナ、４…メディアドライブ、５…主制御装置、６…モニタ、７…入力装置、８…ＣＰＵ、９ａ…ＲＯＭ、９ｂ…ＲＡＭ、１０…Ｉ／Ｏ処理部、１１…露光処理部、１２…現像処理部、１３…乾燥処理部、１４…仕分処理部、１５ａ，１５ｂ…マガジン、１６…搬送用ローラ対、１７…露光装置、１７ａ…光源、１７ｂ…光ファイバー束、１７ｃ…光シャッター、１８…熱風装置、１９…サイズ仕分部、２０…オーダ仕分部、２１…トレー、２２…コンベア、２３…受皿、３１…ＡＰＳフィルム、３２…撮影画像、３３…磁気記録層、４０…ジャッジ画面、４１…コマ画像、４２…補正ボタンエリア、４３ｙ，４３ｍ，４３ｃ…色補正ボタン、４３ｄ…濃度補正ボタン、４４…ＤＳＡボタン、４５…チャージ倍率ボタン、４６…人工光フラグ表示エリア、４７…照明光フラグ表示エリア
【図１】
2006121594.tif 000003
【図２】
2006121594.tif 000004
【図３】
2006121594.tif 000005
【図４】
2006121594.tif 000006